(57)【特許請求の範囲】
【請求項１】
天板部と底板部と左板部と右板部と背板部とで囲まれた内側空間部を構成した遊技機の筐体であって、前記天板部が外天板部と内天板部とから構成され、前記底板部が外底板部と内底板部とから構成され、前記左板部が外左板部と内左板部とから構成され、前記右板部が外右板部と内右板部とから構成され、前記内天板部と前記内底板部と前記内左板部と前記内右板部とのそれぞれが前記内側空間部を囲む内装筐体部を構成し、この内装筐体部の各隅部に結合具があてがわれかつ螺子部材が結合具に装着されて前記内装筐体部の前記内天板部と前記内底板部と前記内左板部と前記内右板部とのそれぞれを互いに結合し、前記外天板部と前記外底板部と前記外左板部と前記外右板部とのそれぞれが前記内装筐体部を外側から覆う外装筐体部を構成し、この外装筐体部の各隅部の外側から螺子部材が上記結合具に装着されて前記外装筐体部を前記内装筐体部に取り付けたことを特徴とする遊技機の筐体。
【請求項２】
背板部が結合具に螺子部材で取り付けられたことを特徴とする請求項１記載の遊技機の筐体。
【発明の詳細な説明】
【技術分野】
【０００１】
本発明は、遊技機の筐体に関する。
【背景技術】
【０００２】
図８及び図９を参照し、特許文献１で開示された遊技機の筐体２０１について説明する。図８に示した遊技機の筐体２０１あっては、面板２０２が骨組構造体２０３の外側に設けられた収納凹部２０４に収納されて骨組構造体に取り付けることで、筐体２０１が構成されるようになっている。図９に示したように、面板２０２が納凹部２０４に収納された後、突出係合部２０５の矢羽部２０６が骨組構造体２０３に設けられた被係合孔部２０７に外側から外形を小さくするように弾性変形するように挿入され、矢羽部２０６が被係合孔部２０７から内側に抜けることに伴い外形を大きくするように復元することにより、面板２０２が骨組構造体２０３に取り付けられることで、筐体２０１が構成されるようになっている。
【０００３】
しかしながら、突出係合部２０５が被係合孔部２０７に結合された後は、開いた矢羽根部２０６が破損されることなく、突出係合部２０５と被係合孔部２０７との結合を解除できないようになっているので、面板２０２を古いものから新しいものに交換する場合、突出係合部２０５を破損することなく再利用することができない。即ち、特許文献１で開示された遊技機の筐体では、筐体２０１を構成する面板２０２及び突出係合部２０５等の部材を再利用することができない。
【先行技術文献】
【特許文献】
【０００４】
【特許文献１】特許第４２８３２０６号公報
【発明の概要】
【発明が解決しようとする課題】
【０００５】
本発明は、上記背景技術に鑑みてなされたものであり、筐体を構成する種々の部材を再利用可能にすることを目的とする。
【課題を解決するための手段】
【０００６】
本発明は、天板部と底板部と左板部と右板部と背板部とで囲まれた内側空間部を構成した遊技機の筐体であって、前記天板部が外天板部と内天板部とから構成され、前記底板部が外底板部と内底板部とから構成され、前記左板部が外左板部と内左板部とから構成され、前記右板部が外右板部と内右板部とから構成され、前記内天板部と前記内底板部と前記内左板部と前記内右板部とのそれぞれが前記内側空間部を囲む内装筐体部を構成し、この内装筐体部の各隅部に結合具があてがわれかつ螺子部材が結合具に装着されて前記内装筐体部の前記内天板部と前記内底板部と前記内左板部と前記内右板部とのそれぞれを互いに結合し、前記外天板部と前記外底板部と前記外左板部と前記外右板部とのそれぞれが前記内装筐体部を外側から覆う外装筐体部を構成し、この外装筐体部の各隅部の外側から螺子部材が上記結合具に装着されて前記外装筐体部を前記内装筐体部に取り付けたことを特徴とする。
【発明の効果】
【０００７】
本発明は、内装筐体部の各隅部に結合具があてがわれかつ螺子部材が結合具に装着されて内装筐体部の内天板部と内底板部と内左板部と内右板部とのそれぞれを互いに結合し、外天板部、外底板部、外左板部、外右板部のそれぞれが内装筐体部を外側から覆う外装筐体部を構成し、螺子部材が上記結合具に装着されて外装筐体部を内装筐体部に取り付ければ、外装筐体部に対しては螺子部材を外して交換の必要な部材を交換して筐体を再使用することができ、内装筐体に対しては螺子部材を外して交換の必要な部材を交換して筐体を再使用することができる。
【図面の簡単な説明】
【０００８】
【図１】発明を実施するための形態１に係る遊技機の筐体を示した斜視図。
【図２】発明を実施するための形態１に係る内装筐体部から外装筐体部を分解して示した斜視図。
【図３】発明を実施するための形態１に係る内装筐体部を分解して示した斜視図。
【図４】発明を実施するための形態１に係る筐体の右上隅の結合構造を示した縦断面図。
【図５】発明を実施するための形態２に係る筐体の上部を分解して示した斜視図。
【図６】発明を実施するための形態２に係る筐体の上部を示した縦断面図。
【図７】発明を実施するための形態３に係る筐体の上部を示した縦断面図。
【図８】特許文献１で開示された遊技機の筐体を分解して示した斜視図。
【図９】特許文献１で開示された面板を骨組構造体に取り付けた構造を縦方向に切断した断面図。
【発明を実施するための形態】
【０００９】
本明細書における「前」、「後」、「左」、「右」、「上」、「下」の方向は、図１の状態に遊技機の筐体１を置いて矢印Ｓで示す前方から見た場合に特定される方向である。
【００１０】
図１乃至図４を参照し、発明を実施するための形態１に係る遊技機の筐体１について、上下左右の部材となる天板部と底板部と左板部と右板部が外側の外天板部４と外底板部５と外左板部６と外右板部７と、内側の内天板部８と内底板部９と内左板部１０と内右板部１１とからなる構成を例示して説明する。
【００１１】
図１に示した筐体１は、内装筐体部２と、内装筐体部２を外側から重なるように覆う外装筐体部３とを備え、外装筐体部３における外天板部４と外底板部５と外左板部６と外右板部７とが外側から螺子部材２５，３２，３７，４１（図２参照）で内装筐体部２に取り付けられており、当該螺子部材２５，３２，３７，４１のいずれかを外すことで内装筐体部２から取り外すことで、外天板部４と外底板部５と外左板部６と外右板部７とのうちで交換の必要なものだけを交換すし、内装筐体部２及び外装筐体部３のうちで交換の必要のないものをそのまま再使用できる構成である。又、内装筐体部２における内天板部８と内底板部９と内左板部１０と内右板部１１とが内側から螺子部材４７，５３，５７，６２（図３参照）いずれかを外すことで内天板部８と内底板部９と内左板部１０と内右板部１１とのそれぞれを取り外すことで、内天板部８と内底板部９と内左板部１０と内右板部１１とのうちで交換の必要なものだけを交換し、内装筐体部２のうちで交換の必要のないものをそのまま再使用できる構成である。
【００１２】
図１において、外天板部４、外底板部５、外左板部６、外右板部７、内天板部８、内底板部９、内左板部１０、内右板部１１、背板部１２のそれぞれは、合成樹脂材、金属材、木質材の１種類又は複数種類から四角形な板状に構成される。外天板部４は、外底板部５と同じ横幅を有し、外底板部５より小さな奥行を有し、内天板部８よりも大きい横幅を有する。外左板部６と外右板部７は、内装筐体部２と同じ高さを有し、上部よりも下部の方が大きな奥行を有するか又は上部と下部とが同じ奥行を有する。
【００１３】
よって、外天板部４が左端部と右端部とを内天板部８よりも左右方向に突出して内天板部８の上面に重ねられて螺子部材２５（図２参照）で固定され、外底板部５が左端部と右端部とを内底板部９よりも左右方向に突出して内底板部９の下面に重ねられて螺子部材３２（図２参照）で固定され、外左板部６が外天板部４の内天板部８よりも左方に突出した一端部と外底板部５の内底板部９よりも左方に突出した一端部との間に挿入されて内左板部１０の左面に重ねられて螺子部材３７（図２参照）で固定され、外右板部７が外天板部４の内天板部８よりも右方に突出した一端部と外底板部５の内底板部９よりも右方に突出した一端部との間に挿入されて内右板部１１の右面に重ねられて螺子部材４１（図２参照）で固定されることにより、外装筐体部３の前面部と内装筐体部２の前面部とが１つの平面状となり、外装筐体部３が内装筐体部２を外側から重なるように覆う構成を例示した。
【００１４】
そして、筐体１を遊技機設置構造体に釘等の止具で固定する場合には、釘のような図示のされていない止具が内装筐体部２の内側空間部の側から釘穴２４（図２参照）を経由して図示のされていない遊技機設置構造体の上側固定部に結合され、釘のような図示のされていない止具が内側空間部の側から釘穴３１を経由して図示のされていない遊技機設置構造体の下側固定部に結合される。
【００１５】
又、内装筐体部２と外装筐体部３とからなる筐体１において、筐体１の外側から、外装筐体部３における外天板部４と外底板部５と外左板部６と外右板部７とを内装筐体部２に取り付けている螺子部材２５，３２，３７，４１（図２参照）が外されたとしても、内装筐体部２における内天板部８と内底板部９と内左板部１０と内右板部１１とが互いに内側から螺子部材４７，５３，５７，６２（図３参照）で結合されているので、内装筐体部２の外側から螺子部材４７，５３，５７，６２（図３参照）を弛緩するように操作できない。よって、筐体１がスロットマシンとして遊技店の遊技機設置構造体に設置された場合においては、筐体１の前側の開口部が扉等の構造物で覆われて施錠されているので、筐体１の組み立てられた姿勢が確保され、不正な行為が防止される。
【００１６】
背板部１２は、内装筐体部２と外装筐体部３とに共通に用いられる単一物になっているか、又は、外背板部と内背板部とに分離可能になっているかのいずれの構成でも適用可能であり、例えば、背板部１２の後側から螺子部材６５（図３参照）で内天板部８、内底板部９、内左板部１０、内右板部１１のいずれかに固定される構成を例示した。
【００１７】
図２に示したように、外天板部４、外底板部５、外左板部６、外右板部７が内装筐体部２から外されても、内天板部８、内底板部９、内左板部１０、内右板部１１、背板部１２のそれぞれが、互いに、上左結合具１５、上右結合具１６、下左結合具１７、下右結合具１８で固定されて内装筐体部２を構成する。
【００１８】
図２において、外天板部４は、止め部２１と取付孔部２２と逃げ部２３とを備える。止め部２１は、外天板部４より内天板部８の側に突出し、内天板部８の釘等の止具を打つための開口部４４に嵌め込まれる構造に設けられる。外天板部４と止め部２１とには、釘穴２４が複数個前後方向に列状に設けられる。止め部２１の個数は２個に限定されるものではなく、内天板部の開口部４４と同じ個数設けられる。取付孔部２２は、外天板部４の左端部と右端部とに、複数個ずつ、前後方向に列状に設けられ、外天板部４の内天板部８への固定用の螺子部材２５の雄螺子部を上下方向に直線的に挿入可能な貫通孔と螺子部材２５の頭部を収容して受け止める凹部との連繋した構成である。逃げ部２３は、外天板部４の左端部と右端部とで取付孔部２２よりも止め部２１の側に、複数個ずつ、前後方向に列状に設けられ、内天板部８の上左結合具１５と上右結合具１６とへの固定用の螺子部材４７（図３参照）の雄螺子部と上左結合具１５の内取付孔部７４（図３参照）と上右結合具１６との内取付孔部８４（図３参照）とを避ける、外天板部４の上下方向に貫通する孔部又は外天板部４の下面より内部に窪む凹部として構成される。
【００１９】
外底板部５は、止め部２８と取付孔部２９と逃げ部３０とを備える。止め部２８は、外底板部５より内底板部９の側に突出し、内底板部９の釘等の止具を打つための開口部５０に嵌め込まれる構造に設けられる。外底板部５と止め部２８とには、釘穴３１が複数個前後方向に列状に設けられる。止め部２８の個数は、２個に限定されるものではなく、内外板部９の開口部５０と同じ個数も設けられる。取付孔部２９は、外底板部５の左端部と右端部とに、複数個ずつ、前後方向に列状に設けられ、外底板部５の内底板部９への固定用の螺子部材３２の雄螺子部を上下方向に直線的に挿入可能な貫通孔と螺子部材３２の頭部を収容して受け止める凹部との連繋した構成である。逃げ部３０は、外底板部５の左端部と右端部とで取付孔部２９よりも止め部２８の側に、複数個ずつ、前後方向に列状に設けられ、内底板部９の下左結合具１７と下右結合具１８とへの固定用の螺子部材５３（図３参照）と下左結合具１７の内取付孔部９４（図３参照）と下右結合具１８の内取付孔部１０４（図３参照）とを避ける、外底板部５の上下方向に貫通する孔部又は外底板部５の下面より内部に窪む凹部として構成される。
【００２０】
外左板部６は、取付孔部３５と逃げ部３６とを備える。取付孔部３５は、外左板部６の上端部と下端部とに、複数個ずつ、前後方向に列状に設けられ、外左板部６の上左結合具１５と下左結合具１７への固定用の螺子部材３７の雄螺子部を上下方向に直線的に挿入可能な貫通孔と螺子部材３７の頭部を収容して受け止める凹部との直線状に連繋した構成である。逃げ部３６は、外左板部６の上端部と下端部とで取付孔部３５よりも外左板部６の中央部の側に、複数個ずつ、前後方向に列状に設けられ、内左板部１０の上左結合具１５と下左結合具１７への固定用の螺子部材５７（図３参照）と上左結合具１５の内取付孔部７６（図３参照）と下左結合具１７の内取付孔部９６（図３参照）とを避ける、外左板部６の左右方向に貫通する孔部又は外左板部６の右面より内部に窪む凹部として構成される。
【００２１】
外右板部７は、取付孔部３９と逃げ部４０とを備える。取付孔部３９は、外右板部７の上端部と下端部とに、複数個ずつ、前後方向に列状に設けられ、外右板部７の上右結合具１６と下右結合具１８への固定用の螺子部材４１の雄螺子部を上下方向に直線的に挿入可能な貫通孔と螺子部材４１の頭部を収容して受け止める凹部との直線状に連繋した構成である。逃げ部４０は、外右板部７の上端部と下端部とで取付孔部３９よりも外右板部７の中央部の側に、複数個ずつ、前後方向に列状に設けられ、内右板部１１の上右結合具１６と下右結合具１８とへの固定用の螺子部材６２（図３参照）と上右結合具１６の内取付孔部８６（図３参照）と下右結合具１８の内取付孔部１０６（図３参照）とを避ける、外右板部７の左右に貫通する孔部又は外右板部７の左方より内部に窪む凹部として構成される。
【００２２】
図２において、外天板部４、外底板部５、外左板部６、外右板部７が内装筐体部２に組み付けられる場合について説明する。外天板部４が内天板部８の上面に重ねられ、止め部２１が内天板部８の開口部４４に挿入され、螺子部材２５の雄螺子部が外天板部４の上方より取付孔部２２を経由して内装筐体部２の上左結合具１５と上右結合具１６とに別々に締め付けられ、螺子部材２５の頭部が外天板部４より上に出ないように取付孔部２２の図示のされていない凹部に収容されて受け止められ、外天板部４が内装筐体部２に取り付けられる。
【００２３】
外底板部５が内底板部９の下面に重ねられ、止め部２８が内底板部９の開口部５０に挿入され、螺子部材３２の雄螺子部が外底板部５の下方より取付孔部２９を経由して内装筐体部２の下左結合具１７と下右結合具１８とに別々に締め付けられ、螺子部材３２の頭部が外底板部５より下に出ないように取付孔部２９の図示のされていない凹部に収容されて受け止められ、外底板部５が内装筐体部２に取り付けられる。
【００２４】
外左板部６が外天板部４の内天板部８より左方に出た一端部と外底板部５の内底板部９より左方に出た一端部との間に挿入されて内左板部１０の左面に重ねられ、螺子部材３７の雄螺子部が外左板部６の左方より取付孔部３５を経由して内装筐体部２の上左結合具１５と下左結合具１７とに別々に締め付けられ、螺子部材３７の頭部が外左板部６より左に出ないように取付孔部３５の図示のされていない凹部に収容されて受け止められ、外左板部６が内装筐体部２に取り付けられる。
【００２５】
外右板部７が外天板部４の内天板部８より右方に出た一端部と外底板部５の内底板部９より右方に出た一端部との間に挿入されて内右板部１１の右面に重ねられ、螺子部材４１の雄螺子部が外右板部７の右方より取付孔部３９を経由して内装筐体部２の上右結合具１６と下右結合具１８とに別々に締め付けられ、螺子部材４１の頭部が外右板部７より右に出ないように取付孔部３９の図示のされていない凹部に収容されて受け止められ、外右板部７が内装筐体部２に取り付けられる。
【００２６】
外天板部４、外底板部５、外左板部６、外右板部７の内装筐体部２への取付順序は、上記に限定されるものでなく、どの部材が先でも後でもよい。上記のように外天板部４、外底板部５、外左板部６、外右板部７が内装筐体部２に組み付けられることより、筐体１が図１に示した態様に構成される。
【００２７】
図３に示した内装筐体部２を構成する部材としての、内天板部８と内底板部９と内左板部１０と内右板部１１と背板部１２と上左結合具１５と上右結合具１６と下左結合具１７と下右結合具１８とについて説明する。
【００２８】
内天板部８は、開口部４４と第１逃げ部４５と第２逃げ部４６とを備える。開口部４４は、上下方向に貫通し、前後方向に長い孔として、内天板部８の中央部に１個設けてよいが、左右に分かれて２個設けられた構成を例示した。第１逃げ部４５は、内天板部８の左端部と右端部とに、複数個ずつ、前後方向に列状に設けられ、外天板部４（図２参照）の上左結合具１５と上右結合具１６とへの固定用の螺子部材２５（図２参照）の雄螺子部及び上左結合具１５の外取付孔部７３と上右結合具１６の外取付孔部８３とを避ける、内天板部８の上下方向に貫通する孔部又は内天板部８の上面より内部に窪む凹部として構成される。第２逃げ部４６は、内天板部８の左端部と右端部とで第１逃げ部４５よりも開口部４４の側に、複数個ずつ、前後方向に列状に設けられ、内天板部８の上左結合具１５と上右結合具１６とへの固定用の螺子部材４７の雄螺子部と上左結合具１５の内取付孔部７４と上右結合具１６の内取付孔部８４とを避ける、内天板部８の上下方向に貫通する孔部又は内天板部８の下面より内部に窪む凹部として構成される。
【００２９】
内底板部９は、開口部５０と第１逃げ部５１と第２逃げ部５２とを備える。開口部５０は、上下方向に貫通し、前後方向に長い孔として、内底板部９の中央部に１個設けてよいが、左右に分かれて２個設けられた構成を例示した。第１逃げ部５１は、内底板部９の左端部と右端部とに、複数個ずつ、前後方向に列状に設けられ、外底板部５の下左結合具１７と下右結合具１８とへの固定用の螺子部材３２（図２参照）の雄螺子部と下左結合具１７の外取付孔部９３と下右結合具１８の外取付孔部１０３とを避ける、内底板部９の上下方向に貫通する孔部又は内底板部９の下面より内部に窪む凹部として構成される。第２逃げ部５２は、内底板部９の左端部と右端部とで第１逃げ部５１よりも開口部５０の側に、複数個ずつ、前後方向に列状に設けられ、内底板部９の上左結合具１５と上右結合具１６とへの固定用の螺子部材５３の雄螺子部と下左結合具１７の内取付孔部９４と下右結合具１８の内取付孔部１０４とを避ける、内底板部９の上下方向に貫通する孔部又は内底板部９の下面より内部に窪む凹部として構成される。
【００３０】
内左板部１０は、第１逃げ部５５と第２逃げ部５６とを備える。第１逃げ部５５は、内左板部１０の上端部と下端部とに、複数個ずつ、前後方向に列状に設けられ、外左板部６（図２参照）の上左結合具１５と下左結合具１７とへの固定用の螺子部材３７（図２参照）の雄螺子部と上左結合具１５の外取付孔部７５と下左結合具１７の外取付孔部９５とを避ける、内左板部１０の左右方向に貫通する孔部又は内左板部１０の左面より内部に窪む凹部として構成される。第２逃げ部５６は、内左板部１０の上端部と下端部とで第１逃げ部５５よりも内左板部１０の中央部の側に、複数個ずつ、前後方向に列状に設けられ、内左板部１０の左結合具１５と下左結合具１７とへの固定用の螺子部材５７の雄螺子部と上左結合具１５の内取付孔部７６と下左結合具１７の内取付孔部９６とを避ける、内左板部１０の左右方向に貫通する孔部又は内左板部１０の左面より内部に窪む凹部として構成される。
【００３１】
内右板部１１は、第１逃げ部６０と第２逃げ部６１とを備える。第１逃げ部６０は、内右板部１１の上端部と下端部とに、複数個ずつ、前後方向に列状に設けられ、外左板部６の上右結合具１６と下右結合具１８とへの固定用の螺子部材４１（図２参照）の雄螺子部と上右結合具１６の外取付孔部８５と下右結合具１８の外取付孔部１０５とを避ける、内右板部１１の左右方向に貫通する孔部又は内右板部１１の右面より内部に窪む凹部として構成される。第２逃げ部６１は、内右板部１１の上端部と下端部とで第１逃げ部６０よりも内右板部１１の中央部の側に、複数個ずつ、前後方向に列状に設けられ、内右板部１１の上右結合具１６と下右結合具１８とへの固定用の螺子部材６２と上右結合具１６の内取付孔部８６と下右結合具１８の内取付孔部１０６とを避ける、内右板部１１の左右方向に貫通する孔部又は内右板部１１の右面より内部に窪む凹部として構成される。
【００３２】
背板部１２は、上下左右の隅部に、取付孔部６４が背板部１２の上左結合具１５と上右結合具１６と下左結合具１７と下右結合具１８とへの固定用の螺子部材６５の雄螺子部と上左結合具１５の背取付孔部７７と上右結合具１６の背取付孔部８７と下左結合具１７の背取付孔部９７と下右結合具１８の背取付孔部１０７とを避ける、背板部１２の前後方向に貫通する孔部として構成される。尚、取付孔部６４は、螺子部材６５の雄螺子部を上下方向に直線的に挿入可能な貫通孔と螺子部材２５の頭部を収容して受け止める凹部と背取付孔部７７，８７，９７，１０７を出っ張らないように収容する凹部との連繋した構成である。
【００３３】
結合具としては、例えば、上左結合具１５と下左結合具１７とが互いに連結され、上右結合具１６と下右結合具１８と互いに連結された構成、又は、上左結合具１５と上右結合具１６とが互いに連結され、下左結合具１７、下右結合具１８と互いに連結された構成、上左結合具１５と上右結合具１６と下左結合具１７と下右結合具１８とのうちの３つが互いに連結された構成、上左結合具１５と上右結合具１６と下左結合具１７と下右結合具１８とが互いに連結された構成であっても適用可能であるが、分かれた、上左結合具１５と上右結合具１６と下左結合具１７と下右結合具１８とが互いに分かれ構成を例示した。上左結合具１５と上右結合具１６とは左右で対照形の構成を例示し、下左結合具１７と下右結合具１８とは左右で対照形の構成を例示した。
【００３４】
上左結合具１５は、天取付部７０と左取付部７１と背取付部７２とを一体に備えた、金属又は合成樹脂から構成される。天取付部７０は、内天板部８の上面に平行な板状であって、左側の外取付孔部７３と右側の内取付孔部７４とを、複数個ずつ、前後方向に列状に備える。外取付孔部７３は、外天板部４の上左結合具１５と上右結合具１６とへの固定用の螺子部材２５（図２参照）の雄螺子部を結合する上下方向に貫通する螺子孔部として、バーリングタップ加工により外天取付部７０より上方又は下方に円筒状に押し出された部分に雌螺子の形成された構成を例示する。内取付孔部７４は、内天板部８の上左結合具１５と上右結合具１６とへの固定用の螺子部材４７の雄螺子部を結合する上下方向に貫通する螺子孔部として、バーリングタップ加工により天取付部７０より上方又は下方に円筒状に押し出された部分に雌螺子の形成された構成を例示する。
【００３５】
左取付部７１は、天取付部７０の左端部より下方に突出した板状であって、上側の外取付孔部７５と下側の内取付孔部７６とを、複数個ずつ、前後方向に列状に備える。外取付孔部７５は、外左板部６の上左結合具１５と上右結合具１６とへの固定用の螺子部材３７（図２参照）の雄螺子部を結合する左右方向に貫通する螺子孔部として、バーリング加工により左取付部７１より左方又は右方に円筒状に押し出された部分に雌螺子の形成された構成を例示する。内取付孔部７６は、内左板部１０の上左結合具１５と上右結合具１６とへの固定用の螺子部材５７の雄螺子部を結合する左右方向に貫通する螺子孔部として、バーリング加工により左取付部７１より左方又は右方に円筒状に押し出された部分に雌螺子の形成された構成を例示する。
【００３６】
上左結合具１５の背取付部７２は、天取付部７０の後端部より下方に突出した板状であって、背取付孔部７７を備える。背取付孔部７７は、背取付部７２の右側に、１個設けられ、背板部１２の上左結合具１５への固定用の螺子部材６５の雄螺子部を結合する前後方向に貫通する螺子孔部として、バーリング加工により背取付部７２より前方又は後方に円筒状に押し出された部分に雌螺子の形成された構成を例示する。背取付孔部７７の個数は、複数個でもよい。
【００３７】
上右結合具１６は、天取付部８０と右取付部８１と背取付部８２とを一体に備えた、金属又は合成樹脂から構成される。
【００３８】
上右結合具１６の天取付部８０は、内天板部８の上面に平行な板状であって、右側の外取付孔部８３と左側の内取付孔部８４とを、複数個ずつ、前後方向に列状に備える。外取付孔部８３は、外天板部４の上右結合具１６への固定用の螺子部材２５（図２参照）の雄螺子部を結合する上下方向に貫通する螺子孔部として、バーリング加工により天取付部８０より上方又は下方に円筒状に押し出された部分に雌螺子の形成された構成を例示する。内取付孔部８４は、内天板部８の上右結合具１６への固定用の螺子部材４７の雄螺子部を結合する上下方向に貫通する螺子孔部として、バーリング加工により天取付部８０より上方又は下方に円筒状に押し出された部分に雌螺子の形成された構成を例示する。
【００３９】
上右結合具１６の右取付部８１は、天取付部８０の右端部より下方に突出した板状であって、上側の外取付孔部８５と下側の内取付孔部８６とを、複数個ずつ、前後方向に列状に備える。外取付孔部８５は、外左板部６の上右結合具１６への固定用の螺子部材４１（図２参照）の雄螺子部を結合する左右方向に貫通する螺子孔部として、バーリング加工により右取付部８１より左方又は右方に円筒状に押し出された部分に雌螺子の形成された構成を例示する。内取付孔部８６は、内左板部１０の上右結合具１６への固定用の螺子部材６２の雄螺子部を結合する左右方向に貫通する螺子孔部として、バーリング加工により右取付部８１より左方又は右方に円筒状に押し出された部分に雌螺子の形成された構成を例示する。
【００４０】
上右結合具１６の背取付部８２は、天取付部８０の後端部より下方に突出した板状であって、背取付孔部８７を備える。背取付孔部８７は、背取付部８２の左側に、１個設けられ、背板部１２の上右結合具１６への固定用の螺子部材６５の雄螺子部を結合する前後方向に貫通する螺子孔部として、バーリング加工により背取付部８２より前方又は後方に円筒状に押し出された部分に雌螺子の形成された構成を例示する。背取付孔部８７の個数は複数個でもよい。
【００４１】
下左結合具１７は、底取付部９０と左取付部９１と背取付部９２とを一体に備えた、金属又は合成樹脂から構成される。
【００４２】
下左結合具１７の底取付部９０は、内底板部９の下面に平行な板状であって、左側の外取付孔部９３と右側の内取付孔部９４とを、複数個ずつ、前後方向に列状に備える。外取付孔部９３は、外底板部５の下左結合具１７への固定用の螺子部材３２（図２参照）の雄螺子部を結合する上下方向に貫通する螺子孔部として、バーリング加工により底取付部９０より上方又は下方に円筒状に押し出された部分に雌螺子の形成された構成を例示する。内取付孔部９４は、内底板部９の下左結合具１７への固定用の螺子部材５３の雄螺子部を結合する上下方向に貫通する螺子孔部として、バーリング加工により底取付部９０より上方又は下方に円筒状に押し出された部分に雌螺子の形成された構成を例示する。
【００４３】
下左結合具１７の左取付部９１は、底取付部９０の左端部より上方に突出した板状であって、下側の外取付孔部９５と上側の内取付孔部９６とを、複数個ずつ、前後方向に列状に備える。外取付孔部９５は、外左板部６の下左結合具１７への固定用の螺子部材３７（図２参照）の雄螺子部を結合する左右方向に貫通する螺子孔部として、バーリング加工により左取付部９１より左方又は右方に円筒状に押し出された部分に雌螺子の形成された構成を例示する。内取付孔部９６は、内左板部１０の下左結合具１７への固定用の螺子部材５７の雄螺子部を結合する左右方向に貫通する螺子孔部として、バーリング加工により左取付部９１より左方又は右方に円筒状に押し出された部分に雌螺子の形成された構成を例示する。
【００４４】
下左結合具１７の背取付部９２は、天取付部の後端部より上方に突出した板状であって、背取付孔部９７を備える。背取付孔部９７は、背取付部９２の右側に、１個設けられ、背板部１２の下左結合具１７への固定用の螺子部材６５の雄螺子部を結合する前後方向に貫通する螺子孔部として、バーリング加工により背取付部９２より前方又は後方に円筒状に押し出された部分に雌螺子の形成された構成を例示する。背取付孔部９７の個数は複数個でもよい。
【００４５】
下右結合具１８は、底取付部１００と右取付部１０１と背取付部１０２とを一体に備えた、金属又は合成樹脂から構成される。
【００４６】
下右結合具１８の底取付部１００は、内底板部９の下面に平行な板状であって、右側の外取付孔部１０３と左側の内取付孔部１０４とを、複数個ずつ、前後方向に列状に備える。外取付孔部１０３は、外底板部５の下右結合具１８への固定用の螺子部材３２（図２参照）の雄螺子部を結合する上下方向に貫通する螺子孔部として、バーリング加工により底取付部１００より上方又は下方に円筒状に押し出された部分に雌螺子の形成された構成を例示する。内取付孔部１０４は、内底板部９の下右結合具１８への固定用の螺子部材５３の雄螺子部を結合する上下方向に貫通する螺子孔部として、バーリング加工により底取付部１００より上方又は下方に円筒状に押し出された部分に雌螺子の形成された構成を例示する。
【００４７】
下右結合具１８の右取付部１０１は、底取付部１００の右端部より上方に突出した板状であって、下側の外取付孔部１０５と上側の内取付孔部１０６とを、複数個ずつ、前後方向に列状に備える。外取付孔部１０５は、外右板部７の下右結合具１８への固定用の螺子部材４１（図２参照）の雄螺子部を結合する上下方向に貫通する螺子孔部として、バーリング加工により右取付部１０１より左方又は右方に円筒状に押し出された部分に雌螺子の形成された構成を例示する。内取付孔部１０６は、内右板部１１の下右結合具１８への固定用の螺子部材６２の雄螺子部を結合する左右方向に貫通する螺子孔部として、バーリング加工により右取付部１０１より左方又は右方に円筒状に押し出された部分に雌螺子の形成された構成を例示する。
【００４８】
下右結合具１８の背取付部１０２は、底取付部１００の後端部より上方に突出した板状であって、背取付孔部１０７を備える。背取付孔部１０７は、背取付部１０２の左側に、１個設けられ、背板部１２の下右結合具１８への固定用の螺子部材６５の雄螺子部を結合する前後方向に貫通する螺子孔部として、バーリング加工により背取付部１０２より前方又は後方に円筒状に押し出された部分に雌螺子の形成された構成を例示する。背取付孔部１０７の個数は複数個でもよい。
【００４９】
図３において、内装筐体部２の組立方について説明する。上左結合具１５が内天板部８に取り付けられる場合、上左結合具１５の天取付部７０が内天板部８の左端部の上に重ねられ、螺子部材４７の雄螺子部が内天板部８の下方から内天板部８の第２逃げ部４６を経由して内取付孔部７４に螺子嵌合し、螺子部材４７の頭部が内天板部８の第２逃げ部４６の周りに接触することにより、上左結合具１５が内天板部８の左端部に固定される。尚、内天板部８の左端部の上面には、天取付部７０を収容する図示のされていない凹部が設けられており、天取付部７０が内天板部８の左端部の上に重ねられる時に上記凹部に収容されて内天板部８の上面より出っ張らないようになっている。
【００５０】
上右結合具１６が内天板部８に取り付けられる場合、上右結合具１６の天取付部８０が内天板部８の右端部の上側に重ねられ、螺子部材４７の雄螺子部が内天板部８の下方から内天板部８の右端部の第２逃げ部４６を経由して内取付孔部８４に螺子嵌合し、螺子部材４７の頭部が内天板部８の第２逃げ部４６の周りに接触することにより、上右結合具１６が内天板部８の左端部の上側に固定される。尚、内天板部８の右端部の上面には、天取付部８０を収容する図示のされていない凹部が設けられており、天取付部８０が内天板部８の右端部の上側に重ねられる時に上記凹部に収容されて内天板部８の上面より出っ張らないようになっている。
【００５１】
下左結合具１７が内底板部９に取り付けられる場合、下左結合具１７の底取付部９０が内底板部９の左端部の下側に重ねられ、螺子部材５３の雄螺子部が内底板部９の上方から内底板部９の左端部の第２逃げ部５２を経由して底取付孔部９４に螺子嵌合し、螺子部材５３の頭部が内底板部９の第２逃げ部４６の周りに接触することにより、下左結合具１７が内底板部９の左端部の下側に固定される。尚、内底板部９の左端部の下面には、底取付部９０を収容する図示のされていない凹部が設けられており、底取付部９０が内底板部９の左端部の下側に重ねられる時に上記凹部に収容されて内底板部９の下面より出っ張らないようになっている。
【００５２】
下右結合具１８が内底板部９に取り付けられる場合、下右結合具１８の底取付部１００が内底板部９の右端部の下側に重ねられ、螺子部材５３の雄螺子部が内底板部９の上方から内底板部９の左端部の第２逃げ部５２を経由して底取付孔部１０４に螺子嵌合し、螺子部材５３の頭部が内底板部９の第２逃げ部４６の周りに接触することにより、下右結合具１８が内底板部９の左端部の下側に固定される。尚、内底板部９の右端部の下面には、底取付部１００を収容する図示のされていない凹部が設けられており、底取付部１００が内底板部９の右端部の下側に重ねられる時に上記凹部に収容されて内底板部９の下面より出っ張らないようになっている。
【００５３】
上左結合具１５が内左板部１０に取り付けられる場合、上左結合具１５の左取付部７１が内左板部１０の上端部の左側に重ねられ、螺子部材５７の雄螺子部が内左板部１０の右方から内左板部１０の第２逃げ部５６を経由して内取付孔部９６に螺子嵌合し、螺子部材５７の頭部が内左板部１０の第２逃げ部５６の周りに接触することにより、上左結合具１５が内左板部１０の上端部の左側に固定される。尚、内左板部１０の上端部の左面には、右取付部７１を収容する図示のされていない凹部が設けられており、右取付部７１が内左板部１０の上端部の左側に重ねられる時に上記凹部に収容されて内左板部１０の左面より出っ張らないようになっている。
【００５４】
上右結合具１６が内右板部１１に取り付けられる場合、上右結合具１６の右取付部８１内右板部１１の上端部の右側に重ねられ、螺子部材６２の雄螺子部が内右板部１１の左方から内右板部１１の上端部の第２逃げ部６１を経由して内取付孔部８６に螺子嵌合し、螺子部材６２の頭部が内右板部１１の第２逃げ部６１の周りに接触することにより、上右結合具１６が内右板部１１の端部の右側に固定される。尚、内右板部１１の上端部の右面には、右取付部８１を収容する図示のされていない凹部が設けられており、右取付部８１が内右板部１１の上端部の右側に重ねられる時に上記凹部に収容されて内右板部１１の右面より出っ張らないようになっている。
【００５５】
下左結合具１７が内左板部１０に取り付けられる場合、下左結合具１７の底取付部９０が内左板部１０の下端部の左側に重ねられ、螺子部材５７の雄螺子部が内左板部１０の右方から内左板部１０の下端部の第２逃げ部５６を経由して内取付孔部９６に螺子嵌合し、螺子部材５７の頭部が内左板部１０の第２逃げ部５６の周りに接触することにより、下左結合具１７が内左板部１０の下端部の左側に固定される。尚、内左板部１０の下端部の左面には、底取付部９０を収容する図示のされていない凹部が設けられており、底取付部９０が内左板部１０の下端部の左側に重ねられる時に上記凹部に収容されて内左板部１０の左面より出っ張らないようになっている。
【００５６】
下右結合具１８が内右板部１１に取り付けられる場合、下右結合具１８の右取付部１０１が内右板部１１の下端部の右側に重ねられ、螺子部材６２の雄螺子部が内右板部１１の左方から内右板部１１の下端部の第２逃げ部６１を経由して内取付孔部１０６に螺子嵌合し、螺子部材６２の頭部が内右板部１１の第２逃げ部６１の周りに接触することにより、下右結合具１８が内右板部１１の下端部の右側に固定される。尚、内右板部１１の下端部の右面には、右取付部１０１を収容する図示のされていない凹部が設けられており、右取付部１０１が内右板部１１の下端部の右側に重ねられる時に上記凹部に収容されて内右板部１１の右面より出っ張らないようになっている。
【００５７】
上左結合具１５が背板部１２に取り付けられる場合、上左結合具１５の背取付部７２が背板部１２の上左端部の前面に重ねられ、螺子部材６５の雄螺子部が背板部１２の後方から背板部１２の上左端部の取付孔部６４を経由して背取付孔部７７に螺子嵌合し、螺子部材６５の頭部が背板部１２の取付孔部６４の周りに接触することにより、下左結合具１７が背板部１２の上左端部の前面に固定される。
【００５８】
上右結合具１６が背板部１２に取り付けられる場合、上右結合具１６の背取付部８２が背板部１２の上右端部の前面に重ねられ、螺子部材６５の雄螺子部が背板部１２の後方から背板部１２の上右端部の取付孔部６４を経由して背取付孔部８７に螺子嵌合し、螺子部材６５の頭部が背板部１２の取付孔部６４の周りに接触することにより、下左結合具１７が背板部１２の上右端部の前面に固定される。
【００５９】
下左結合具１７が背板部１２に取り付けられる場合、下左結合具１７の背取付部９２が背板部１２の下左端部の前面に重ねられ、螺子部材６５の雄螺子部が背板部１２の後方から背板部１２の下左端部の取付孔部６４を経由して背取付孔部９７に螺子嵌合し、螺子部材６５の頭部が背板部１２の取付孔部６４の周りに接触することにより、下左結合具１７が背板部１２の下左端部の前面に固定される。
【００６０】
下右結合具１８が背板部１２に取り付けられる場合、下右結合具１８の背取付部１０２が背板部１２の下右端部の前面に重ねられ、螺子部材６５の雄螺子部が背板部１２の後方から背板部１２の下右端部の取付孔部６４を経由して背取付孔部１０７に螺子嵌合し、螺子部材６５の頭部が背板部１２の取付孔部６４の周りに接触することにより、下右結合具１８が背板部１２の下右端部の前面に固定される。
【００６１】
前述した上左結合具１５、上右結合具１６、下左結合具１７、下右結合具１８のそれぞれと、内天板部８、内底板部９、内左板部１０、内右板部１１、背板部１２のそれぞれとの取付順序は、上記に限定されるものでなく、どの部材が先でも後でもよい。上記のように、上左結合具１５、上右結合具１６、下左結合具１７、下右結合具１８のそれぞれと内天板部８、内底板部９、内左板部１０、内右板部１１、背板部１２のそれぞれとの組み付けにより、内装筐体部２が図２に示した態様に構成される。
【００６２】
図４において、筐体１の右上隅の結合について説明すると、上右結合具１６の天取付部８０が外天板部４と内天板部８との間に配置され、上右結合具１６の右取付部８１が外右板部７と内右板部１１との間に配置され、螺子部材２５が筐体１の外側から上右結合具１６の外取付孔部８３に取り付けられ、螺子部材４７が筐体１の内側から上右結合具１６の内取付孔部８４に取り付けられ、螺子部材４１が筐体１の外側から上右結合具１６の外取付孔部８５に取り付けられ、螺子部材６２が筐体１の内側から上右結合具１６の内取付孔部８６に取り付けられた構成担っているので、例えば、筐体１の外側で螺子部材２５を取り外して、外天板部４を交換することができ、筐体１の外側で螺子部材４１を取り外して、外右板部７を交換することができる。上記のように外天板部４を取り外しても、螺子部材４７を筐体１の外側から弛緩操作することは困難であり、上記のように外右板部７取り外しても、螺子部材６２を筐体１の外側から弛緩操作することは困難であるので、上右結合具１６による内天板部８と内右板部１１との結合が確保できる。又、筐体１の角部は傷みやすいが、遊技機設置構造体に釘で固定される外天板部４で内天板部８と内右板部１１と外右板部７とを被覆した構成であるので、釘穴の付いた交換の必要のある外天板部４が上記筐体１の角部の損傷を負担し、外天板部４だけを交換すれば、外右板部７と内天板部８と内右板部１１とを交換しないで長期に使用することができる。
【００６３】
尚、図１乃至図４では、天板部を外天板部４と内天板部８とで構成し、底板部を外底板部５と内底板部９とで構成し、左板部を外左板部６と内左板部１０とで構成し、右板部を外右板部７と内右板部１１とで構成したが、例えば、天板部と底板部とを外天板部４と内天板部８と外底板部５と内底板部９とで構成し、左板部と右板部とを外左板部６と内左板部１０とに分けないで１つの板部材として構成するように、天板部、底板部、左板部、右板部、背板部１２のいずれかを外と内とに分けて構成して適用可能である。
【００６４】
又、結合具を上下方向の中間部に用いて外左板部６と外右板部７との一方又は両方と背板部１２を結合しても適用可能である。この上下方向の中間部に用いられる結合部として、例えば、図３に示した上左結合具１５から左取付部７１の除去された構成の結合部を２個準備し、１個の結合部の天取付部７０を図２に示した外左板部６と内左板部１０との間に配置し、螺子部材で外左板部６と内左板部１０とを天取付部７０に結合し、螺子部材で図２に示した背板部を背取付部７２に結合し、もう１個の結合部の天取付部７０を図２に示した外右板部７と内右板部１１との間に配置し、螺子部材で外右板部７と内右板部１１とを天取付部７０に結合し、螺子部材で図２に示した背板部を背取付部７２に結合することにより適用可能である。
【００６５】
又、図３に示した背取付部７２，８２，９２，１０２を背板部１２の後面に配置し、図
２に示した螺子部材６５を背板部１２の前方から背板部１２を経由して背取付部７２，８２，９２，１０２の背取付孔部７７，８７，９７，１０７に装着することで背板部１２を取付部７２，８２，９２，１０２に結合するか、図３に示した背取付孔部７７，８７，９７，１０７を前後方向への貫通孔とし、背取付部７２，８２，９２，１０２を背板部１２の前面に配置し、背板部１２の後面の側にナットを用い、図２に示した螺子部材６５を背板部１２の前方から上記貫通孔及び背板部１２を経由してナットに装着することで背板部１２を背取付部７２，８２，９２，１０２結合しても適用可能である。
【００６６】
又、図３に示した例えば上左結合具１５の外取付孔部７３，７５と内取付孔部７４，７６と背取付部８２とのいずれか１つ又は２個以上を貫通孔し、ナットを用いても適用可能である。この構造を上右結合具１６、下左結合具１７、下右結合具１８でも上左結合具１５と同様に貫通孔としてナットを用いても適応可能である。
【００６７】
図４に示した上右結合具１６に外取付孔部８３を設けることなく内取付孔部８４を貫通孔とし、螺子部材４７を内側から内天板部８と上記貫通孔及び外天板部４を経由して外天板部４の外側に出ないように内部に埋め込まれたナットに装着することで外天板部４と内天板部８とを上右結合具１６を介して結合しても適用可能である。この構造を上左結合具１５、下左結合具１７、下右結合具１８でも上右結合具１６と同様に貫通孔としてナットを用いても適応可能である。
【００６８】
又、図４に示した上左結合具１６に外取付孔部８５を設けることなく内取付孔部８３を貫通孔とし、螺子部材６２を内側から内右板部１１１と上記貫通孔及び外右板部７を経由して外右板部７の外側に出ないように内部に埋め込まれたナットに装着することで外右板部７と内右板部１１とを上右結合具１６を介して結合しても適用可能である。この構造を上左結合具１５、下左結合具１７、下右結合具１８でも上右結合具１６と同様に貫通孔としてナットを用いても適応可能である。
【００６９】
図５及び図６を参照し、発明を実施するための形態２に係る遊技機の筐体１について、上部構造を例示して説明する。図５に示した筐体１の上部構造は、左右に分かれて構成された左外天板部４Ａと右外天板部４Ｂとを、内天板部８に組み合わせる構成である。内天板部８の釘等の止具を打つための開口部４４Ａを含む平面視で方形な左領域８Ａの厚みと内天板部８の釘等の止具を打つための開口部４４Ｂを含む平面視で方形な右領域８Ｂの厚みとが、内天板部８の開口部４４Ａ，４４Ｂの間の残存部８Ｃの厚みよりも薄い構成である。
【００７０】
左外天板部４Ａは、内天板部８の左領域８Ａと同形な平面視で方形な板状であり、左領域８Ａに重ねられると、左外天板部４Ａが左領域８Ａを全面的に覆い、左外天板部４Ａの上面が内天板部８の残存部８Ｃの上面と平面状に連繋さる構成である。左外天板部４Ａには止め部２１Ａが下方に突出して設けられる。左外天板部４Ａと止め部２１Ａには、釘穴２４Ａが設けられる。そして、左外天板部４Ａが内天板部８の左領域８Ａを覆うように取り付けられる時に、止め部２１Ａが開口部４４Ａに挿入される。
【００７１】
右外天板部４Ｂは、内天板部８の右領域８Ｂと平面視で同形な方形な板状であり、内天板部８の右領域８Ｂに重ねられると、右外天板部４Ｂが右領域８Ｂを全面的に覆い、右外天板部４Ｂの上面が内天板部８の残存部８Ｃの上面と平面状に連繋さる構成である。右外天板部４Ｂには止め部２１Ｂが下方に突出して設けられる。右外天板部４Ｂと止め部２１Ｂには、釘穴２４Ｂが設けられる。そして、右外天板部４Ｂが内天板部８の右領域８Ｂを覆うように取り付けられる時に、止め部２１Ｂが開口部４４Ｂに挿入される。
【００７２】
左外天板部４Ａが内天板部８の左領域８Ａを覆い、止め部２１Ａが開口部４４Ａに挿入され、木ねじ又はタッピングねじ等の螺子部材２５Ａが左外天板部４Ａに設けられた取付孔部４５Ａと左領域８Ａに設けられた取付穴部７３Ａとを経由して左領域８Ａ又は左板部６Ａに装着され、右外天板部４Ｂが内天板部８の右領域８Ｂを覆い、止め部２１Ｂが開口部４４Ｂに挿入され、木ねじ又はタッピングねじ等の螺子部材２５Ｂが左外天板部４Ｂに設けられた取付孔部４５Ｂと左領域８Ｂに設けられた取付穴部７３Ｂとを経由して左領域８Ｂ又は左板部６Ｂに装着されたことにより、図６に示したように、左外天板部４Ａが左領域８Ａに取り付けられ、右外天板部４Ｂが右領域８Ｂに取り付けられる。
【００７３】
図６に示したように、左外天板部４Ａが内天板部８の左領域８Ａを覆うように取り付けられて、止め部２１Ａが開口部４４Ａに挿入され、右外天板部４Ｂが内天板部８の右領域８Ｂを覆うように取り付けられて、止め部２１Ｂが開口部４４Ｂに挿入された状態では、筐体１の角部は傷みやすいが、遊技機設置構造体に釘で固定される左外天板部４Ａと右外天板部４Ｂとで内天板部８と右板部６Ａと右板部７Ａとを被覆した構成であるので、釘穴の付いた交換の必要のある外天板部４が上記筐体１の角部の損傷を負担し、外天板部４だけを交換すれば、外右板部７と内天板部８と内右板部１１とを交換しないで長期に使用することができる。
【００７４】
図５及び図６に示した上部構造は、左外天板部４Ａ、右外天板部４Ｂ、内天板部８、開口部４４Ａ，４４Ｂのそれぞれを、左外底板部、右外底板部、内底板部９、開口部５０と読み替えることで、下部構造にも適用可能である。
【００７５】
図１乃至図６において、止め部２１，２１Ａ，２１Ｂ，２８の一方又は両方が設けられていなくてもよく、又、釘穴２４、２４Ａ，２４Ｂ，３１が設けられていなくてもよい。
【００７６】
図７を参照し、発明を実施するための形態２に係る遊技機の筐体１について、１つの角部連結される１つの部材が外側と内側に分かれており、もう１つの部材が外側と内側に分かれていないものとして、天板部が外天板部４と内天板部８とに分かれ、右板部６Ｂが単一であり、外天板部４と内天板部８と側板部６Ｂとを互いに結合する部材となる上右結合具１６Ａが外取付孔部８３と内取付孔部８４と内取付孔部８６に相等する図示のされていない貫通孔と第２逃げ部６１に相等する取付孔部６１Ａとを備えかつ外取付孔部８５を備えていない、右上部構造を例示して説明する。取付孔部６１Ａは、螺子部材６２の雄螺子部を左右方向に直線的に挿入可能な貫通孔とナット６６を収容して受け止める凹部６１Ｂとの連繋した構成である。即ち、外天板部４と内天板部８とが外側から操作可能な螺子部材２５と内側から操作可能な螺子部材８４とで上右結合具１６Ａに結合され、側板部６Ｂが内側から操作可能な螺子部材６２とナット６６とで上右結合具１６Ａに結合されている。
【００７７】
図７において、右板部６Ｂ、上右結合具１６Ａのそれぞれを、左板部、上左結合具１５と読み替えることにより、左上部構造にも適用可能である。又、図７における右板部６Ｂ、上右結合具１６Ａのそれぞれを、単一な底板部、下右結合具１８と読み替え、図２に示す外左板部６と内左板部１０と下左結合具１７とを用いかつ下左結合具１７の底取付部９０と下右結合具１８の底取付部１００とが互いに内側に延びて連結されたことにより、図７に示した右上部構造を下構造にも適用可能である。
【符号の説明】
【００７８】
１    筐体
２    内装筐体部
３    外装筐体部
４    外天板部
５    外底板部
６    外左板部
７    外右板部
８    内天板部
９    内底板部
１０  内左板部
１１  内右板部
１２  背板部
１５  上左結合具
１６  上右結合具
１７  下左結合具
１８  下右結合具
２５  螺子部材
３５  取付孔部
３７  螺子部材
４１  螺子部材
４４  開口部
５０  開口部
５３  螺子部材
５７  螺子部材
６２  螺子部材
６５  螺子部材
【要約】
【課題】筐体を構成する種々の部材を再利用可能にする。
【解決手段】外装筐体部３の外天板部４と外底板部５と外左板部６と外右板部７とが螺子部材で内装筐体部２に取り付けられており、当該螺子部材を外すことで内装筐体部２から取り外すことで、外天板部４と外底板部５と外左板部６と外右板部７とのうちで交換の必要なものだけを交換することで、内装筐体部２及び外装筐体部３のうちで交換の必要のないものをそのまま再使用できる構成である。又、内装筐体部２の内天板部８と内底板部９と内左板部１０と内右板部１１とが螺子部材を外すことで内天板部８と内底板部９と内左板部１０と内右板部１１とを取り外すことで、内天板部８と内底板部９と内左板部１０と内右板部１１とのうちで交換の必要なものだけを交換することで、内装筐体部２のうちで交換の必要のないものをそのまま再使用できる。
【選択図】図１【図１】
0006019158.tif 000002
【図２】
0006019158.tif 000003
【図３】
0006019158.tif 000004
【図４】
0006019158.tif 000005
【図５】
0006019158.tif 000006
【図６】
0006019158.tif 000007
【図７】
0006019158.tif 000008
【図８】
0006019158.tif 000009
【図９】
0006019158.tif 000010